(57)【特許請求の範囲】
【請求項１】
凸形状又は凹形状に形成された作用部を所定方向に沿って複数有した押圧部材と、
前記押圧部材を前記所定方向に沿って移動させる駆動機構と、
前記所定方向に沿って並設されて、前記押圧部材によって押圧されていないときは第１の姿勢を、前記押圧部材によって押圧されているときは第２の姿勢を取るように構成された複数の可動体と、
を備え、
前記各可動体は、被作用部を有して、前記作用部が前記被作用部に対応する位置に移動することによって、前記押圧部材によって押圧され若しくは前記押圧部材による押圧が解除されるように構成され、
前記複数の作用部は、前記押圧部材の前記所定方向に沿った移動によって、前記複数の可動体を１以上の前記可動体からなる組に分けた場合における同一組内の前記可動体の前記被作用部に対応する位置に前記作用部が同時に移動するように、配置され、
前記押圧部材の前記所定方向に沿った移動の間、前記各被作用部に対して複数の前記作用部が移動するように構成されていることを特徴とする遊技機。
【発明の詳細な説明】
【技術分野】
【０００１】
本発明は、複数の可動役物を同期させて駆動することが可能な遊技機に関する。
【背景技術】
【０００２】
下記特許文献１に示すように、遊技機の可動演出装置として、第１姿勢から第２姿勢まで姿勢変位可能に構成された可動体と、可動体を姿勢変位させる駆動機構とを備えた演出部材が列をなして複数配設され、駆動機構は、正逆方向へ回転可能なギアと、可動体に連繋され、往復移動によって可動体を姿勢変位させるアーム部材と、アーム部材を、常には可動体が第１姿勢に変位する位置に向けて付勢する弾性部材と、アーム部材に設けられたカムフォロアと、ギアに設けられ、ギアの回転に伴ないアーム部材のカムフォロアに係合して可動体が第２姿勢に変位するようアーム部材を移動させるカム部とを備え、複数のギアは、単一の駆動手段によって正逆方向へ回転するよう相互に連繋されると共に、少なくとも１つのギアにおけるカム部は、対応するアーム部材が他のアーム部材に対し非同期的に往復移動するよう設けられているものがある。この可動演出装置では、２つずつの可動体が組となって、同一組内では同期して姿勢を変位するように構成されている（図１１、１２参照）。
【先行技術文献】
【特許文献】
【０００３】
【特許文献１】特開２００７−２６８０１１号公報（請求項１、図１１、図１２）
【発明の概要】
【発明が解決しようとする課題】
【０００４】
しかし、上記従来の遊技機の可動演出装置は、構成が複雑であるため、部品点数が多く、高コストであるという問題があった。
【０００５】
本発明は、上述の課題を解決するものであり、部品点数を少なくすることができ、低コストで複数の可動体を同期させて動作可能な遊技機を提供することを目的とする。
【課題を解決するための手段】
【０００６】
本発明の遊技機は、凸形状又は凹形状に形成された作用部を所定方向に沿って複数有した押圧部材と、前記押圧部材を前記所定方向に沿って移動させる駆動機構と、前記所定方向に沿って並設されて、前記押圧部材によって押圧されていないときは第１の姿勢を、前記押圧部材によって押圧されているときは第２の姿勢を取るように構成された複数の可動体と、を備え、前記各可動体は、被作用部を有して、前記作用部が前記被作用部に対応する位置に移動することによって、前記押圧部材によって押圧され若しくは前記押圧部材による押圧が解除されるように構成され、前記複数の作用部は、前記押圧部材の前記所定方向に沿った移動によって、前記複数の可動体を１以上の前記可動体からなる組に分けた場合における同一組内の前記可動体の前記被作用部に対応する位置に前記作用部が同時に移動するように、配置され、前記押圧部材の前記所定方向に沿った移動の間、前記各被作用部の各々に対して複数の前記作用部が移動するように構成されていることを特徴とする。
【発明の効果】
【０００７】
本発明によれば、簡易な構成で複数の可動体を同期させて動作させることが可能であり、部品点数を少なくでき、低コストである。
【図面の簡単な説明】
【０００８】
【図１】本発明の実施形態の遊技機の正面図である。
【図２】同実施形態の遊技機の遊技盤の概略正面図である。
【図３】同実施形態に係る遊技機の電気系統のブロック図である。
【図４】第１可動役物装置の分解斜視図である。
【図５】第１可動役物装置の背面側から見た分解斜視図である。
【図６】初期状態（第１状態）の第１可動役物装置の正面図である。
【図７】図６のVII-VII部位概略断面図である。
【図８】第２状態の第１可動役物装置の正面図である。
【図９】図８のIX-IX部位概略断面図である。
【図１０】第３状態の第１可動役物装置の正面図である。
【図１１】図１０のXI-XI部位概略断面図である。
【図１２】第４状態の第１可動役物装置の正面図である。
【図１３】図１２のXIII-XIII部位概略断面図である。
【図１４】図６のXIV-XIV部位要部概略断面図である。
【図１５】図８のXV-XV部位要部概略断面図である。
【図１６】第２可動役物装置の分解斜視図である。
【発明を実施するための形態】
【０００９】
本発明の一実施形態に係る遊技機について、図面に基づいて説明する。図１、２に示すように、実施形態の遊技機１は、パチンコ遊技機であり、前面枠１０の内側に取着された透明部材からなる遊技盤２を備えている。遊技盤２には、ハンドル１１の操作により発射された遊技球が流下する遊技領域３が、レール部材１２で囲まれて形成されている。遊技領域３には、遊技球を誘導する遊技釘（図示せず）が多数突設されている。前面枠１０には、演出ボタン１３、枠ランプ１８及びスピーカ１７が配設され、遊技盤２には、盤ランプ１９（図３参照）が配設されている。
【００１０】
ここで、本明細書中、上下とは、遊技を行うために遊技機１を立設した状態における上下をいい、左右は、遊技盤２の遊技領域３に向かって左右をいうものとする。また、遊技盤２の表面側（遊技領域３側）を前方とし、遊技盤２の裏面側を後方とする。
【００１１】
遊技領域３には、液晶表示装置である画像表示器６の画像表示画面６ａが配置されている。画像表示器６は、客待ち用のデモ表示、装飾図柄変動演出、大当たり遊技に並行して行われる大当たり演出などを画像表示画面６ａに表示する。装飾図柄変動演出は、数字等の装飾図柄と装飾図柄以外の演出画像とにより構成されて、変動表示を経て停止表示された装飾図柄により、大当たり抽選の結果を報知する演出である。この装飾図柄変動演出は、特別図柄変動に並行して行われる。また、大当たり抽選は、遊技球の第１始動口５ａまたは第２始動口５ｂへの入球に対して行われる。
【００１２】
遊技盤２の中央部には、センター役物装置３０が配置されている。センター役物装置３０は、遊技盤２の中央部に形成されたルータ孔に取り付けられる枠体部３１と、遊技盤２に裏面側から取り付けられる液晶ベース（図示せず）とを備えている。図示しない液晶ベースには、スポットライトを模した複数の可動体４３を有する第１可動役物装置４０と、スポットライトを模した複数の可動体４３Ｂを有する第２可動役物装置４０Ｂとが組み付けられている。なお、液晶ベースは、後方から画像表示器６が取り付けられた状態で、遊技盤２の裏面側に取り付けられ固定されるものである。遊技盤２は透明部材からなるので、第１可動役物装置４０の可動体４３が配置された部分、及び、第２可動役物装置４０Ｂの可動体４３Ｂが配置された部分は、前方から遊技盤２を通して視認可能であるが、第１可動役物装置４０の可動体４３が配置された部分より下の部分、及び、第２可動役物装置４０Ｂの可動体４３Ｂが配置された部分より下の部分は、図示しない装飾シートが遊技盤２に貼付されること等により、前方からは略視認できないように構成されている。
【００１３】
遊技領域３の左右方向における中央下部には、始動入賞装置５が設けられている。始動入賞装置５は、遊技球の入球し易さが常時変わらない第１始動口５ａと、電動チューリップ（以下、「電チュー」という。）５ｃにより開閉される第２始動口５ｂとを備えている。電チュー５ｃは、電チューソレノイド５ｆ（図３参照）により駆動される。第２始動口５ｂは、電チュー５ｃが開いているときのみ遊技球が入賞可能となる。
【００１４】
また、遊技領域３には、大入賞装置７と、遊技球が通過可能なゲート８と、複数の普通入賞装置９とが設けられている。大入賞装置７は、始動入賞装置５の下方に配置されており、大入賞口ソレノイド７ｃ（図３参照）により開閉される大入賞口７ａを備えている。各普通入賞装置９に入った遊技球は、その普通入賞装置９内の普通入賞口９ａに入賞する。
【００１５】
遊技領域３の外側には、複数のランプからなる図柄表示器１４、及び、保留ランプ１６が設けられている。図柄表示器１４に含まれる第１特別図柄表示器１４ａ及び第２特別図柄表示器１４ｂ（図３参照）は、それぞれ、遊技球の第１始動口５ａ、第２始動口５ｂへの入賞を契機として行われる大当たり抽選の結果を、変動表示を経て停止表示された図柄（特別図柄）により報知する（これを「特別図柄変動」という）ものである。第１特別図柄表示器１４ａ、第２特別図柄表示器１４ｂに停止表示された図柄（特別図柄）が大当たり図柄又は小当たり図柄であれば、大入賞口７ａを所定回数開閉する当たり遊技が行われる。
【００１６】
特別図柄の変動表示中または当たり遊技中に、遊技球が第１始動口５ａまたは第２始動口５ｂに入賞すると、メイン制御基板２０（図３参照）は、その入賞に対して取得した大当たり乱数等の乱数を、第１始動口５ａへの入賞であれば第１保留記憶部２７ａ（図３参照）に、第２始動口５ｂへの入賞であれば第２保留記憶部２７ｂ（図３参照）に、保留記憶として記憶する。そして、特別図柄変動を実行可能になったときに、記憶しておいた保留記憶に基づいて大当たりか否かの判定を行い、特別図柄変動を実行する。
【００１７】
保留ランプ１６に含まれる第１特別図柄保留ランプ１６ａ及び第２特別図柄保留ランプ１６ｂ（図３参照）は、それぞれ、第１保留記憶部２７ａ、第２保留記憶部２７ｂに記憶されている保留記憶の個数を表示するものである。なお、第１保留記憶部２７ａ、第２保留記憶部２７ｂに記憶される保留記憶の個数は、それぞれ４個が上限とされているため、第１保留記憶部２７ａに４個の保留記憶がある状態で遊技球が第１始動口５ａに入賞したときや、第２保留記憶部２７ｂに４個の保留記憶がある状態で遊技球が第２始動口５ｂに入賞したときは、その入賞に対して大当たり乱数等の乱数は取得されない。
【００１８】
図柄表示器１４に含まれる普通図柄表示器１４ｃ（図３参照）は、ゲート８への遊技球の通過を契機として行われる普通図柄抽選の結果を、変動表示を経て停止表示される普通図柄により報知するものである。停止表示された普通図柄が当たり図柄であれば、所定時間及び所定回数、電チュー５ｃを開く補助遊技が行われる。
【００１９】
普通図柄の変動表示中または補助遊技中に、遊技球がゲート８を通過すると、メイン制御基板２０は、その通過に対して取得した当たり乱数を記憶する。そして、普通図柄の変動表示を開始可能な状態になったときに、記憶しておいた当たり乱数を用いて当たりか否かの判定を行い、普通図柄の変動表示を開始して、その判定結果を示す普通図柄を停止表示する。保留ランプ１６に含まれる普通図柄保留ランプ１６ｃ（図３参照）は、このように記憶されている当たり乱数の個数を表示するものである。なお、記憶される当たり乱数は４個が上限とされているため、４個の当たり乱数が記憶されている状態で遊技球がゲート８を通過しても、その通過に対する当たり乱数の取得は行われない。
【００２０】
次に、図３に基づいて実施形態の遊技機１の電気系統について説明する。実施形態の遊技機１は、メイン制御基板２０、払出制御基板２１、サブ制御基板２５を備え、サブ制御基板２５は、演出制御基板２２、画像制御基板２３、及び、ランプ制御基板２４を備えている。そして、払出制御基板２１及び演出制御基板２２はメイン制御基板２０に接続され、画像制御基板２３及びランプ制御基板２４は演出制御基板２２に接続されている。各制御基板は、ＣＰＵ、ＲＯＭ、ＲＡＭ等を備えている。また、メイン制御基板２０は、ＲＡＭ内に、第１保留記憶部２７ａ及び第２保留記憶部２７ｂを有する保留記憶部２７を備えている。
【００２１】
メイン制御基板２０は、大当たりの抽選や遊技状態の移行など主に利益に関わる制御を行うものである。メイン制御基板２０には、第１始動口５ａ内に設けられて第１始動口５ａに入球した遊技球を検出する第１始動口ＳＷ（スイッチ）５ｄ、第２始動口５ｂ内に設けられて第２始動口５ｂに入球した遊技球を検出する第２始動口ＳＷ５ｅ、電チュー５ｃを駆動する電チューソレノイド５ｆ、ゲート８内に設けられてゲート８を通過した遊技球を検出するゲートＳＷ８ａ、大入賞口７ａ内に設けられて大入賞口７ａに入球した遊技球を検出する大入賞口ＳＷ７ｂ、開閉部材７２を駆動する大入賞口ソレノイド７ｃ、各普通入賞口９ａ内にそれぞれ設けられてその普通入賞口９ａに入球した遊技球を検出する普通入賞口ＳＷ９ｂ、第１特別図柄保留ランプ１６ａ、第２特別図柄保留ランプ１６ｂ、普通図柄保留ランプ１６ｃ、第１特別図柄表示器１４ａ、第２特別図柄表示器１４ｂ、普通図柄表示器１４ｃがそれぞれ接続され、図３に矢印で示すように、各スイッチからはメイン制御基板２０に信号が入力され、各ソレノイドやランプ等にはメイン制御基板２０から信号が出力される。
【００２２】
また、メイン制御基板２０は、払出制御基板２１に各種コマンドを送信するとともに、払い出し監視のために払出制御基板２１から信号を受信する。払出制御基板２１には、図示しない払出装置を駆動する払出駆動モータ２６が接続され、払出制御基板２１は、メイン制御基板２０から受信したコマンドに従って払出駆動モータ２６を動作させ、賞球の払出を行わせる。
【００２３】
さらに、メイン制御基板２０は、演出制御基板２２に対し各種コマンドを送信し、演出制御基板２２は、画像制御基板２３との間でコマンドや信号の送受信を行う。画像制御基板２３には画像表示器６及びスピーカ１７が接続され、画像制御基板２３は、演出制御基板２２から受信したコマンドに従って、画像表示器６の画像表示画面６ａに装飾図柄その他の画像を表示し、スピーカ１７から音声を出力する。また、演出制御基板２２は、ランプ制御基板２４との間でコマンドや信号の送受信を行う。ランプ制御基板２４には枠ランプ１８、盤ランプ１９、第１可動役物装置４０の電動モータ４１、第１フォトセンサ４２ａ、第２フォトセンサ４２ｂ、第２可動役物装置４０Ｂの電動モータ４１Ｂ、第１フォトセンサ４２ａＢ、第２フォトセンサ４２ｂＢ等が接続され、ランプ制御基板２４は、演出制御基板２２から受信したコマンドに従って、枠ランプ１８や盤ランプ１９を点灯・消灯し、電動モータ４１を駆動させて第１可動役物装置４０を動作させ、電動モータ６１を駆動させて第２可動役物装置４０Ｂを動作させる。また、演出制御基板２２には、演出ボタン１３が押下操作されたことを検出する演出ボタン検出ＳＷ１３ａが接続されている。
【００２４】
次に、第１可動役物装置４０について詳説する。図２、４、５に示すように、第１可動役物装置４０は、上下方向（後述する長尺部材４６の移動方向に相当。）に並んだ５つの可動体４３と、可動体４３が回動可能に取り付けられる可動体ベース部４４と、可動体ベース部４４の後面側に取り付けられる駆動機構ベース部４５と、可動体ベース部４４と駆動機構ベース部４５との間に配設される長尺部材４６（押圧部材に相当。）と、を備えている。なお、各可動体４３を区別するときは、上から順に、第１可動体４３ａ、第２可動体４３ｂ、第３可動体４３ｃ、第４可動体４３ｄ、第５可動体４３ｅという。
【００２５】
各可動体４３は、略矩形箱状をなして、前面が透明とされて、ＬＥＤを有した基板４３３（図１４参照）が内部に収納され、ＬＥＤからの光が前面を透過するように構成されている。なお、各可動体４３における前後方向は、図９に示すように各可動体４３が長尺部材４６に押圧されない状態において遊技機１の前後方向に一致した方向をいうものとする。各可動体４３の左側部の上端及び下端からは、軸４３１が突設されている。また、可動体４３の内部には捩じりコイルばね４３２が収納されて、捩じりコイルばね４３２の一端部は、可動体４３の後壁に形成されたスリット４３５から左斜め後方に突出している。なお、図示はしないが、捩じりコイルばね４３２の他端部は、可動体４３の内部において、左右方向に沿って可動体４３の前壁部内面に当接して配置されている。また、図５に示すように、各可動体４の後面には、軸４３１よりも左側に、縦断面が略半円形状をなすように後方に突出する凸部４３４（被作用部に相当。）が設けられている。
【００２６】
可動体ベース部４４は、上下方向に長い略矩形状の可動体取付枠４４１と、可動体取付枠４４１の下方に延設されたギア配置部４４２とを有し、可動体取付枠４４１の左側には、可動ではない固定装飾体５０が取り付けられている。可動体取付枠４４１は、可動体４３がそれぞれ配設される５つの略矩形状の枠部４４３を有し、各枠部４４３は、左側部の上下に、可動体４３の軸４３１が挿入される孔４４５を有している。なお、各孔４４５は上下に開放されるとともに、固定装飾体５０の取付前は前方に開放されており、孔４４５の前方の開放部分から軸４３１を挿入した後に固定装飾体５０を可動体取付枠４４１に取り付けることにより、孔４４５の前方の開放部分が固定装飾体５０で閉塞されて、軸４３１は孔４４５から抜けないようになり、可動体４３は枠部４４３に回動可能に取り付けられる。
【００２７】
また、各枠部４４３の左側部には、枠部４４３の上下の横枠４４３ｂを連結する柱部４４４が設けられている。そして、柱部４４４の上部に形成された孔４４４ａに、捩じりコイルばね４３２の一端部が挿通されて、捩じりコイルばね４３２により、可動体４３は、軸４３１を回動軸として右側部が前方に回動するように付勢されている。但し、可動体４３の凸部４３４が、柱部４４４の中央部４４４ｂ及び後述する長尺部材４６の平面部４６２に当接することにより、可動体４３の捩じりコイルばね４３２による回動は、可動体４３の前面が遊技機１の正面を向いた状態で制止される（図８、９参照）。枠部４４３の柱部４４４より左側の部分は、前後に貫通する略矩形状の孔４４３ａが形成されて、可動体４３の凸部４３４の左側部は、孔４４３ａに臨んで配置される。また、５つの枠部４４３の孔４４３ａは上下に連なることにより、全体として上下に細長い長孔４４６をなし、長孔４４６は後述する駆動機構ベース部４５の凹溝４５３の前側に重ねられて、長孔４４６と凹溝４５３とで、長尺部材４６が内部を摺動する長尺部材摺動溝５１（図７参照）を形成している。
【００２８】
駆動機構ベース部４５は、上下方向に長い長尺板状をなして、下部にギア配置部４５４が設けられ、ギア配置部４５４の後面側にステッピングモータである電動モータ４１が取り付けられて、電動モータ４１は、図示しない中継基板を介してランプ制御基板２４に接続されている。電動モータ４１の出力軸には駆動ギア４８が固着されて、駆動ギア４８はギア配置部４５４に形成された孔４５１から前方に突出して、ギア配置部４５４の前面側に配設された二段ギア４９の大径ギア４９１に噛合している。二段ギア４９は、大径ギア４９１と小径ギア４９２とが同心で一体形成されており、軸４９３が挿通されて、軸４９３の両端が、ギア配置部４５４に形成された有底孔と、可動体ベース部４４のギア配置部４４２に形成された有底孔とに挿入されることにより、ギア配置部４５４とギア配置部４４２との間に配設される。
【００２９】
小径ギア４９２には、ラック部材４７に形成されたラック歯４７１が噛合している。ラック部材４７は、細長い板状に形成されて、右端部に長手方向に沿ってラック歯４７１が形成され、長手方向を上下方向に沿わせて配設されている。ラック部材４７の上端部には、後方に突出する突出部４７２が形成されて、突出部４７２が、長尺部材４６の下端部の前面側に開口する図示しない有底孔に挿入されることにより、長尺部材４６の下端部とラック部材４７の上端部とが連結されている。また、駆動機構ベース部４５には、左側部に長手方向（すなわち、上下方向）に沿って細長い凹溝４５３が形成され、長尺部材４６は凹溝４５３内に配置されている。したがって、電動モータ４１が駆動することにより駆動ギア４８が正逆回転して、二段ギア４９が正逆回転すると、ラック部材４７が上下動して、ラック部材４７とともに長尺部材４６も凹溝４５３内を上下動する。すなわち、電動モータ４１、駆動ギア４８、二段ギア４９、及び、ラック部材４７は、長尺部材４６を上下方向（長尺部材４６の長手方向に相当。）に沿って移動させる駆動機構を構成する。
【００３０】
ギア配置部４５４の左側部には、第１フォトセンサ４２ａが取り付けられるとともに、第１フォトセンサ４２ａより下に第２フォトセンサ４２ｂが取り付けられて、ラック部材４７の左側部は、第１フォトセンサ４２ａの発光部と受光部との間、及び、第２フォトセンサ４２ｂの発光部と受光部との間に挿通されている。ラック部材４７の左側部には、３つの切欠部４７３が上下方向に並設され、これらの切欠部４７３のいずれかが、発光部と受光部との間に位置することにより、第１フォトセンサ４２ａ、第２フォトセンサ４２ｂは、発光部からの光を受光部で受光可能となり、これにより、ラック部材４７の位置ひいては長尺部材４６の位置が検出される。なお、各切欠部４７３を区別するときは、上から順に、切欠部４７３ａ、切欠部４７３ｂ、切欠部４７３ｃという（図５参照）。
【００３１】
長尺部材４６は、細長い棒状に形成されて、長手方向を上下方向に沿わせて配設され、前面には、凸形状に形成された作用部である突出部４６１が、長尺部材４６の長手方向（長尺部材４６の移動方向に相当。）に沿って１０個並設されている。なお、各突出部４６１を区別するときは、上から順に、突出部４６１ａ、突出部４６１ｂ、突出部４６１ｃ、突出部４６１ｄ、突出部４６１ｅ、突出部４６１ｆ、突出部４６１ｇ、突出部４６１ｈ、突出部４６１ｉ、突出部４６１ｊという。各突出部４６１は、上下方向の長さを同一として、縦断面が半円形状をなすように前方に突出し、長尺部材４６の隣り合う突出部４６１、４６１間、及び、長尺部材４６の突出部４６１ｊの下方部位は、前面が平面状の平面部４６２とされている。なお、各平面部４６２を区別するときは、上から順に、平面部４６２ａ、平面部４６２ｂ、平面部４６２ｃ、平面部４６２ｄ、平面部４６２ｅ、平面部４６２ｆ、平面部４６２ｇ、平面部４６２ｈ、平面部４６２ｉ、平面部４６２ｊという。
【００３２】
また、長尺部材４６は、上述したように、駆動機構ベース部４５の凹溝４５３と可動体ベース部４４の長孔４４６とで形成される長尺部材摺動溝５１内に配置され、各突出部４６１は長孔４４６から前方に露出している。なお、図７に示すように、可動体ベース部４４は、長尺部材摺動溝５１の下端に相当する部位に、後方に突出する壁部４４７を有しており、この壁部４４７に、長尺部材４６の突出部４６１ｊが当接することにより、長尺部材４６の下方への移動が阻止され、ラック部材４７の上端が当接することにより、ラック部材４７の上方への移動が阻止される。
【００３３】
ここで、突出部４６１の凸部４３４に対する作用について説明する。突出部４６１ａ及び突出部４６１ｂは、第１可動体４３ａの凸部４３４に作用する（具体的には、凸部４３４を押圧する）作用部となり、突出部４６１ｃ及び突出部４６１ｄは、第２可動体４３ｂの凸部４３４に作用する作用部となり、突出部４６１ｅ及び突出部４６１ｆは、第３可動体４３ｃの凸部４３４に作用する作用部となり、突出部４６１ｇ及び突出部４６１ｈは、第４可動体４３ｄの凸部４３４に作用する作用部となり、突出部４６１ｉ及び突出部４６１ｊは、第５可動体４３ｅの凸部４３４に作用する作用部となる。
【００３４】
そして、長尺部材４６が上下方向に移動することにより、突出部４６１が可動体４３の凸部４３４に対応する位置（本実施形態では、突出部４６１と凸部４３４とが前後方向で重なる位置）に移動すると、図１４に示すように、可動体４３は、凸部４３４が突出部４６１に押圧されることにより、軸４３１を中心として右側部が後方に回動し、可動体４３の前面が遊技機１の正面に対し傾いた状態となる。なお、凸部４３４及び突出部４６１は、対向する面がいずれも縦断面を略半円形状としているため、長尺部材４６の移動に伴い、突出部４６１の前面が円滑に凸部４３４の後面上を摺動することとなる。一方、図１５に示すように、平面部４６２が凸部４３４に対応する位置に移動すると、可動体４３は、突出部４６１による押圧を解除されて、捩じりコイルばね４３２の付勢力により軸４３１を中心として右側部が前方に回動するが、凸部４３４が長尺部材４６の平面部４６２及び柱部４４４の中央部４４４ｂの前面（図４参照）に当接して回動が規制され、可動体４３の前面が遊技機１の正面に向いた状態となる。このように、各可動体４３は、突出部４６１が凸部４３４に対応する位置に移動することによって、長尺部材４６によって押圧されるように構成され、長尺部材４６により押圧されていないときは、前面を遊技機１の正面に向けた第１の姿勢を取り、長尺部材４６により押圧されているときは、前面を遊技機１の正面に対し傾けた第２の姿勢を取るように構成されている。
【００３５】
また、長尺部材４６における突出部４６１の配置位置は、可動体４３を、第１可動体４３ａ、第３可動体４３ｃ及び第５可動体４３ｅからなる組（以下、「第１組」という。）と、第２可動体４３ｂ及び第４可動体４３ｄからなる組（以下、「第２組」という。）とに分けた場合、同一組内の可動体４３の凸部４３４に対応する位置に同時にそれぞれ別の突出部４６１が移動するような位置とされている。
【００３６】
詳説すると、長尺部材４６が最も下方位置にある図７の状態から最も上方位置にある図１３の状態まで移動する間に、図７に示すように、第１可動体４３ａの凸部４３４に対しては長尺部材４６の部分Ｐ１が、第２可動体４３ｂの凸部４３４に対しては長尺部材４６の部分Ｐ２が、第３可動体４３ｃの凸部４３４に対しては長尺部材４６の部分Ｐ３が、第４可動体４３ｄの凸部４３４に対しては長尺部材４６の部分Ｐ４が、第５可動体４３ｅの凸部４３４に対しては長尺部材４６の部分Ｐ５が対応することとなる。部分Ｐ１、Ｐ２、Ｐ３、Ｐ４、Ｐ５の上下方向の幅は、長尺部材４６の移動距離に相当する。そして、第１組の可動体４３に対応する部分Ｐ１、Ｐ３、Ｐ５は、上から順に、突出部４６１、平面部４６２、突出部４６１、平面部４６２というパターンであり、第２組の可動体４３に対応する部分Ｐ２、Ｐ４は、上から順に、突出部４６１、平面部４６２、突出部４６１というパターンであり、図７に示すように、部分Ｐ１、Ｐ２、Ｐ３に含まれる平面部４６２の上下方向の幅（突出部４６１ａ、４６１ｂの間隔に相当。）をＷとすると、部分Ｐ２、Ｐ４に含まれる平面部４６２の上下方向の幅（突出部４６１ｃ、４６１ｄの間隔に相当。）はその約２倍である。このように、同一組内の可動体４３に対応する長尺部材４６の部分は、突出部４６１と平面部４６２とからなるパターン（長尺部材４６の凸部４３４に対向する面の長手方向に沿った凹凸パターンともいえるので、以下、「凹凸パターン」ともいう。）が、突出部４６１の上下方向の幅、及び、平面部４６２の上下方向の幅も含めて、同一とされている。なお、平面部４６２ｂのうち部分Ｐ１に含まれる部分の上下方向の幅もＷであるが、平面部４６２ｂ全体の上下方向の幅はＷの２倍より若干大きい。すなわち、平面部４６２ｂのうち部分Ｐ１に含まれない部分の上下方向の幅はＷより若干大きく、平面部４６２ｄの上下方向の幅と同じである。また、平面部４６２ｄと平面部４６２ｈの上下方向の幅は同じである。
【００３７】
したがって、長尺部材４６が図７の状態から図１３の状態まで移動すると、第１組に属する第１可動体４３ａ、第３可動体４３ｃ及び第５可動体４３ｅの凸部４３４に対しては、図７に示す突出部４６１ａ、４６１ｅ、４６１ｉが対応した状態から、図９に示すように、平面部４６２ａ、４６２ｅ、４６２ｉが同時に移動し、次に、図１１に示すように、突出部４６１ｂ、４６１ｆ、４６１ｊが同時に移動し、さらに、図１３に示すように、平面部４６２ｂ、４６２ｆ、４６２ｊが同時に移動する。また、第２組に属する第２可動体４３ｂ及び第４可動体４３ｄに対しては、図７に示す突出部４６１ｃ、４６１ｇが対応した状態から、図９に示すように、平面部４６２ｃ、４６２ｇの上部が同時に移動し、次に、図１１に示すように、平面部４６２ｃ、４６２ｇの下部が同時に移動し、さらに、図１３に示すように、突出部４６１ｄ、４６１ｈが同時に移動する。
【００３８】
このように、同一組内の可動体４３に対しては、長尺部材４６の同一の凹凸パターンを有した部分が対応するため、同一組内の可動体４３は、同期して同じ姿勢を取ることとなる。また、異なる組間で凹凸パターンの一部を同一としている（より具体的には、部分Ｐ１、Ｐ３、Ｐ５の上半分と、部分Ｐ２、Ｐ４の上半分は、同一パターンである）ため、図７、９に示すように、異なる組間でも同じ姿勢を取る場合がある。すなわち、２つの組間で姿勢を同一とする場合（図７、９に示す場合）と異ならせる場合（図１１、１３に示す場合）があり、取り得る姿勢は２つであるため、結局、第１可動役物装置４０は、後述するように４つの状態を取るように構成されている。
【００３９】
以上のように構成された第１可動役物装置４０の動作について、次に説明する。図６、７に示す初期状態（第１状態）においては、ラック部材４７は、切欠部４７３ａが第１フォトセンサ４２ａの発光部と受光部との間に位置し、これによりランプ制御基板２４は、ラック部材４７及び長尺部材４６が初期位置にあり、第１可動役物装置４０が初期状態にあることを検知する。このとき、図７に示すように、全ての可動体４３の凸部４３４に対し、それぞれ突出部４６１が対応しているため、５つの可動体４３全てが長尺部材４６により押圧されて、図６に示すように、５つの可動体４３全てが第２の姿勢を取っている。
【００４０】
次に、電動モータ４１が駆動して二段ギア４９が右回りに回転すると、ラック部材４７及び長尺部材４６が上方に移動し、切欠部４７３ｃが第２フォトセンサ４２ｂの発光部と受光部との間に位置することとなって、これによりランプ制御基板２４は、ラック部材４７及び長尺部材４６が第２位置にあり、第１可動役物装置４０が第２状態にあることを検知する。また、このとき、図９に示すように、全ての可動体４３の凸部４３４に対し、それぞれ平面部４６２が対応することとなる。このため、全ての可動体４３に対する長尺部材４６による押圧が解除された状態となり、図８に示すように、５つの可動体４３全てが第１の姿勢を取ることとなる。
【００４１】
さらに電動モータ４１が駆動して二段ギア４９が右回りに回転すると、ラック部材４７及び長尺部材４６がさらに上方に移動し、切欠部４７３ｂが第１フォトセンサ４２ａの発光部と受光部との間に位置することとなって、これによりランプ制御基板２４は、ラック部材４７及び長尺部材４６が第３位置にあり、第１可動役物装置４０が第３状態にあることを検知する。また、このとき、図１１に示すように、第１可動体４３ａの凸部４３４、第３可動体４３ｃの凸部４３４、及び、第５可動体４３ｅの凸部４３４に対し、それぞれ突出部４６１が対応し、第２可動体４３ｂの凸部４３４、及び、第４可動体４３ｄの凸部４３４に対し、それぞれ平面部４６２が対応することとなる。このため、図１０に示すように、第１可動体４３ａ、第３可動体４３ｃ、及び、第５可動体４３ｅは、長尺部材４６に押圧されて、第２の姿勢を取るが、第２可動体４３ｂ及び第４可動体４３ｄは、長尺部材４６に押圧されずに、第１の姿勢を維持することとなる。
【００４２】
さらに電動モータ４１が駆動して二段ギア４９が右回りに回転すると、ラック部材４７及び長尺部材４６がさらに上方に移動し、切欠部４７３ｃが第１フォトセンサ４２ａの発光部と受光部との間に位置することとなって、これによりランプ制御基板２４は、ラック部材４７及び長尺部材４６が第４位置にあり、第１可動役物装置４０が第４状態にあることを検知する。また、このとき、図１３に示すように、第２可動体４３ｂの凸部４３４、及び、第４可動体４３ｄの凸部４３４に対し、それぞれ突出部４６１ｈが対応し、第１可動体４３ａの凸部４３４、第３可動体４３ｃの凸部４３４、及び、第５可動体４３ｅの凸部４３４に対し、それぞれ平面部４６２が対応することとなる。このため、図１２に示すように、第２可動体４３ｂ及び第４可動体４３ｄは、長尺部材４６に押圧されて、第２の姿勢を取るが、第１可動体４３ａ、第３可動体４３ｃ、及び、第５可動体４３ｅは、長尺部材４６に押圧されずに、第１の姿勢を取ることとなる。
【００４３】
このように、第１可動役物装置４０は、長尺部材４６が初期位置から第４位置まで移動するに連れて、図６、７に示すように、５つの可動体４３全てが第２の姿勢を取る第１状態、図８、９に示すように、５つの可動体４３全てが第１の姿勢を取る第２状態、図１０、１１に示すように、第１可動体４３ａ、第３可動体４３ｃ及び第５可動体４３ｅが第２の姿勢を取り、第２可動体４３ｂ及び第４可動体４３ｄが第１の姿勢を取る第３状態、図１２、１３に示すように、第２可動体４３ｂ及び第４可動体４３ｄが第２の姿勢を取り、第１可動体４３ａ、第３可動体４３ｃ及び第５可動体４３ｅが第１の姿勢を取る第４状態の４つの状態を、この順に取る。すなわち、第１可動体４３ａ、第３可動体４３ｃ及び第５可動体４３ｅは同期して動作し、第２可動体４３ｂ及び第４可動体４３ｄは同期して動作することとなる。また、電動モータ４１が出力軸を逆回転させて二段ギア４９が左回りに回転すると、ラック部材４７及び長尺部材４６は下方に移動して、第１可動役物装置４０は、第４状態から第３状態、第２状態を経て初期状態に戻る。なお、勿論、初期状態から第２状態へ移行して第３状態に移行せずに初期状態に戻ったり、初期状態から第２状態を経て第３状態へ移行して第４状態に移行せずに第３状態に戻ったりする等、状態の変移の順は適宜変更可能である。
【００４４】
以上説明したように、遊技機１は、凸形状に形成された作用部としての突出部４６１を所定方向（本実施形態では、上下方向であり、長尺部材４６の長手方向に相当。）に沿って複数有した長尺部材４６と、長尺部材４６を上記所定方向に沿って移動させる駆動機構と、上記所定方向に沿って並設されて、長尺部材４６によって押圧されていないときは第１の姿勢を、長尺部材４６によって押圧されているときは第２の姿勢を取るように構成された複数の可動体４３と、を備え、各可動体４３は、被作用部としての凸部４３４を有して、突出部４６１が凸部４３４に対応する位置に移動することによって、長尺部材４６によって押圧されるように構成されている。そして、突出部４６１は、長尺部材４６の上記所定方向に沿った移動によって、可動体４３を１以上の可動体４３からなる組（上述した第１組と第２組）に分けた場合における同一組内の可動体４３の凸部４３４に対応する位置に、それぞれ別個の突出部４６１が同時に移動するように、配置されている。したがって、長尺部材４６の上記所定方向に沿った移動によって、同一組内の可動体４３は、同時に長尺部材４６によって押圧されて姿勢を変位させる。このように、遊技機１は、複数の作用部を設けた長尺部材４６を所定方向に沿って移動させるという簡易な構成で、複数の可動体４３を同期させて動作させる機能を実現している。すなわち、少ない部品点数で、複数の可動体４３を同期させて動作させることができ、低コストである。
【００４５】
また、遊技機１では、同一組内の可動体４３に対応する長尺部材４６の部分の凹凸パターンが同一とされることにより、同一組内の可動体４３は同期して姿勢を変えるように構成されるとともに、かかる凹凸パターンの一部を異なる組間で共通とし他部を異なる組間で異なるものとすることにより、異なる組間で同期して同じ姿勢を取る場合と異なる姿勢を取る場合とを生じさせて、第１可動役物装置４０における動作状態のバリエーションを増やしている。すなわち、簡易な構成で、第１可動役物装置４０における動作状態のバリエーションを豊富なものとしている。
【００４６】
なお、上述した可動体４３の組とは、１以上の可動体４３を含むものであればよい。以下、かかる組を有する第２可動役物装置４０Ｂについて、簡単に説明する。なお、第１可動役物装置４０に対応する構成要素については、第１可動役物装置４０における符号に「Ｂ」を付して、その説明を省略する。
【００４７】
図２、１６に示すように、第２可動役物装置４０Ｂは、上下方向に並んだ３つの可動体４３Ｂと、可動体ベース部４４Ｂと、駆動機構ベース部４５Ｂと、長尺部材４６Ｂと、を備えている。なお、各可動体４３Ｂを区別するときは、上から順に、第１可動体４３ａＢ、第２可動体４３ｂＢ、第３可動体４３ｃＢという。第２可動役物装置４０Ｂでは、可動体ベース部４４Ｂの第３可動体４３ｃＢの下方に、スポットライトを模した固定装飾体５２が取り付けられている。固定装飾体５２は可動ではない。
【００４８】
可動体４３Ｂは、第１可動役物装置４０の可動体４３と左右対称な形状をなし、被作用部として、凸部４３４と同形の凸部（図示せず。）が、後面から後方に突設されている。各可動体４３Ｂは、可動体ベース部４４Ｂの枠部４４３Ｂに、軸４３１Ｂを中心として左側部が後方に回動可能に取り付けられるとともに、捩じりコイルばね４３２Ｂにより左側部が前方に回動するように付勢されている。但し、可動体４３Ｂの上記凸部が、柱部４４４Ｂの中央部４４４ｂＢ及び長尺部材４６Ｂの平面部４６２Ｂに当接することにより、可動体４３Ｂの捩じりコイルばね４３２Ｂによる回動は、可動体４３Ｂの前面が遊技機１の正面を向いた状態で制止される。
【００４９】
長尺部材４６Ｂには、作用部として６つの突出部４６１Ｂが上下方向に並設され、上の２つの突出部４６１が第１可動体４３ａＢの凸部に対して作用し、中程の２つの突出部４６１が第２可動体４３ｂＢの凸部に対して作用し、下の２つの突出部４６１が第３可動体４３ｃＢの凸部に対して作用する。長尺部材４６Ｂの下端部はラック部材４７Ｂの上端部と連結されており、電動モータ４１Ｂ、駆動ギア４８Ｂ、二段ギア４９Ｂ、及び、ラック部材４７Ｂは、長尺部材４６Ｂを所定方向（本実施形態では、上下方向であり、長尺部材４６Ｂの長手方向に相当。）に沿って移動させる駆動機構を構成する。
【００５０】
また、各可動体４３Ｂは、第１可動体４３ａＢと第３可動体４３ｃＢとからなる第１組と、第２可動体４３ｂＢのみからなる第２組とに分けた場合、同一組内の可動体４３Ｂは同期して動作する。このために、同一組内の可動体４３Ｂに対応する長尺部材４６Ｂの部分の凹凸パターンは同一とされている。具体的には、第１可動体４３ａＢに対応する部分Ｐ１Ｂと第３可動体４３ｃＢに対応する部分Ｐ３Ｂにおける凹凸パターンは同一とされている。また、異なる組間でも凹凸パターンの一部は共通とされている。具体的には、部分Ｐ１Ｂ及び部分Ｐ３Ｂにおける凹凸パターンの上半分と、第２可動体４３ｂＢに対応する部分Ｐ２Ｂにおける凹凸パターンの上半分とは、同一とされている。したがって、第２可動役物装置４０Ｂは、３つの可動体４３Ｂ全てが前面を遊技機１の正面に対し傾けた第２の姿勢を取る初期状態（第１状態）、３つの可動体４３Ｂ全てが前面を遊技機１の正面に向けた第１の姿勢を取る第２状態、第１可動体４３ａＢ及び第３可動体４３ｃＢが第２の姿勢を取って、第２可動体４３ｂＢが第１の姿勢を取る第３状態、第１可動体４３ａＢ及び第３可動体４３ｃＢが第１の姿勢を取って、第２可動体４３ｂＢが第２の姿勢を取る第４状態の４つの状態を取り得る。このように、本発明における組とは、１つの可動体からなるものであってもよい。
【００５１】
また、第１可動役物装置４０の部分Ｐ１、Ｐ３、Ｐ５における凹凸パターンと第２可動役物装置４０Ｂの部分Ｐ１Ｂ、Ｐ３Ｂにおける凹凸パターンは同一であり、第１可動役物装置４０の部分Ｐ２、Ｐ４における凹凸パターンと第２可動役物装置４０Ｂの部分Ｐ２Ｂにおける凹凸パターンは同一であるので、第１可動役物装置４０と第２可動役物装置４０Ｂとを同期させて動作させることにより、上述した第１状態〜第４状態のうち、第１可動役物装置４０と第２可動役物装置４０Ｂとで同時に同じ状態を取ったり、第１可動役物装置４０と第２可動役物装置４０Ｂとで同時に真逆の状態（例えば、可動体４３全てが第１の姿勢を取って可動体４３Ｂ全てが第２の姿勢を取った状態等）を取ったりすることができ、個々の可動体４３、４３Ｂの可動範囲は小さくても、複数の可動体４３、４３Ｂを一斉に動作させることにより、大きな演出効果を得ることができる。
【００５２】
なお、上記実施形態では、作用部を凸形状の突出部４６１としたが、作用部を凹形状として、作用部が被作用部に対応する位置に移動することにより、凸形状である被作用部が作用部に入り込んで、長尺部材４６による押圧が解除され、作用部が被作用部に対応する位置にないときは、長尺部材４６が可動体４３を押圧することとしてもよい。なお、上記実施形態において、平面部４６２を含む凹部（突出部４６１の先端部よりも凹んだ部分）を作用部と捉えれば、かかる形態に相当する。また、作用部を凸形状として、被作用部を凹形状としてもよい。
【００５３】
また、平面部４６２を平面状ではなく曲面状としてもよい。すなわち、平面部４６２は、被作用部である凸部４３４に対応する位置に移動したときに、長尺部材４６が可動体４３を押圧しないような形状であればよい。
【００５４】
また、押圧部材を必ずしも長尺状のものとしなくてもよい。また、押圧部材の移動方向に沿って、作用部が並設されるとともに可動体が並設されていればよく、押圧部材の移動方向は、必ずしも上下方向でなくてもよく、遊技盤面に沿った方向でなくてもよい。
【符号の説明】
【００５５】
１…遊技機
４０…第１可動役物装置
４０Ｂ…第２可動役物装置
４３、４３Ｂ…可動体
４６、４６Ｂ…長尺部材（押圧部材）
４３４…凸部（被作用部）
４６１、４６１Ｂ…突出部（作用部）
【図１】
0005492249.tif 000002
【図２】
0005492249.tif 000003
【図３】
0005492249.tif 000004
【図４】
0005492249.tif 000005
【図５】
0005492249.tif 000006
【図６】
0005492249.tif 000007
【図７】
0005492249.tif 000008
【図８】
0005492249.tif 000009
【図９】
0005492249.tif 000010
【図１０】
0005492249.tif 000011
【図１１】
0005492249.tif 000012
【図１２】
0005492249.tif 000013
【図１３】
0005492249.tif 000014
【図１４】
0005492249.tif 000015
【図１５】
0005492249.tif 000016
【図１６】
0005492249.tif 000017